(57)【要約】【課題】第１のすき部材及び第２のすき部材を第１の保持待避機構及び第２の保持待避機構により前下り状に保持することで第１及び第２のすき部材により圃場の整地作業を行うことができ、複数個のすき部材が存在することにより土の削取、移動及び排出の整地作業能力を高めることができる。【解決手段】走行機体１に取付枠３を連結機構２により上下動自在に設け、取付枠に土運搬台１５を後方傾動自在に設け、取付枠の下部に第１のすき部材９を前下り状に配設し、第１のすき部材を前下り状の使用位置ａに保持すると共に第１のすき部材を使用位置から不使用位置ｂに跳上待避可能な第１の保持待避機構１０を設け、土運搬台の下部に少なくとも１個の第２のすき部材３０を前下り状に配設し、第２のすき部材を前下り状の使用位置ｃに保持すると共に第２のすき部材を使用位置から不使用位置ｄに跳上待避可能な第２の保持待避機構３１を設けてなる。【選択図】図３
2020120693.tif 000002
【特許請求の範囲】
【請求項１】
走行機体に取付枠を連結機構により上下動自在に設け、該取付枠に土運搬台を後方傾動自在に設け、該取付枠の下部に第１のすき部材を前下り状に配設し、該土運搬台の該第１のすき部材に対向する位置に土導入口部を形成し、該第１のすき部材を前下り状の使用位置に保持すると共に該第１のすき部材を該使用位置から不使用位置に跳上待避可能な第１の保持待避機構を設け、上記土運搬台の下部に少なくとも１個の第２のすき部材を前下り状に配設し、上記土運搬台の下部にして上記第２のすき部材の対向位置に土導入口を形成し、該土運搬台の下部に該土導入口を開閉可能な蓋板の前部をヒンジ部により起立倒伏自在に配設し、該蓋板をヒンジ部により倒伏して該蓋板の後部を土運搬台の下部に当接して土導入口を閉口すると共に該蓋板をヒンジ部により起立して該蓋板の後部を土運搬台に当接して土導入口を開口するように設け、該第２のすき部材を前下り状の使用位置に保持すると共に該第２のすき部材を該使用位置から該不使用位置に跳上待避可能な第２の保持待避機構を設けてなることを特徴とする圃場整地機。
【請求項２】
上記取付枠側の第１のすき部材は上記取付枠の下部に１個配設され、上記土運搬台側の第２のすき部材は土運搬台の下部左右位置に１個ずつ計２個配設されてなることを特徴とする請求項１記載の圃場整地機。
【発明の詳細な説明】
【技術分野】
【０００１】
本発明は、例えば、水田等の圃場面の整地作業に用いられる圃場整地機に関するものである。
【背景技術】
【０００２】
従来、この種の圃場整地機として、走行機体に取付枠を連結機構により上下動自在に設け、取付枠に土運搬台を後方傾動自在に設け、取付枠の下部にすき部材を前下り状に配設してなる構造のものが知られている。
【０００３】
しかして、上記すき部材を前下り状の作業位置に保持して走行機体を前進走行し、圃場面の高い所の土をすき部材により削り取り、削り取られた土をすき部材により土運搬台内に導入案内し、走行機体を圃場の低い所に移動し、その位置で土運搬台を後方傾動させ、土運搬台内の土を圃場面の低い所に排出し、この作業を繰り返すことにより圃場の整地作業を行うことになる。
【先行技術文献】
【特許文献】
【０００４】
【特許文献１】特許第４９９７１３２号
【発明の概要】
【発明が解決しようとする課題】
【０００５】
しかしながら上記従来構造の場合、上記すき部材は上記取付枠の下部に１個のみ配設され、土の削取、移動及び排出の整地作業能力が低いとされ、近年の圃場の大規模化もあって、圃場の整地作業の作業性が低下することがあるという不都合を有している。
【課題を解決するための手段】
【０００６】
本発明はこれらの不都合を解決することを目的とするもので、本発明のうちで、請求項１記載の発明は、走行機体に取付枠を連結機構により上下動自在に設け、該取付枠に土運搬台を後方傾動自在に設け、該取付枠の下部に第１のすき部材を前下り状に配設し、該土運搬台の該第１のすき部材に対向する位置に土導入口部を形成し、該第１のすき部材を前下り状の使用位置に保持すると共に該第１のすき部材を該使用位置から不使用位置に跳上待避可能な第１の保持待避機構を設け、上記土運搬台の下部に少なくとも１個の第２のすき部材を前下り状に配設し、上記土運搬台の下部にして上記第２のすき部材の対向位置に土導入口を形成し、該土運搬台の下部に該土導入口を開閉可能な蓋板の前部をヒンジ部により起立倒伏自在に配設し、該蓋板をヒンジ部により倒伏して該蓋板の後部を土運搬台の下部に当接して土導入口を閉口すると共に該蓋板をヒンジ部により起立して該蓋板の後部を土運搬台に当接して土導入口を開口するように設け、該第２のすき部材を前下り状の使用位置に保持すると共に該第２のすき部材を該使用位置から該不使用位置に跳上待避可能な第２の保持待避機構を設けてなることを特徴とする圃場整地機にある。
【０００７】
又、請求項２記載の発明は、上記取付枠側の第１のすき部材は上記取付枠の下部に１個配設され、上記土運搬台側の第２のすき部材は土運搬台の下部左右位置に１個ずつ計２個配設されてなることを特徴とするものである。
【発明の効果】
【０００８】
本発明は上述の如く、請求項１記載の発明にあっては、第１のすき部材を第１の保持待避機構により取付枠に前下り状の使用位置に保持することで第１のすき部材により土運搬台上に土導入口部を介して土を導入して圃場の整地作業を行うことができ、第２のすき部材を第２の保持待避機構により土運搬台に前下り状に保持することで土運搬台上に第２のすき部材により土導入口を介して土を導入して圃場の整地作業を行うことができ、かつ、土運搬台の下部に土導入口を開閉可能な蓋板の前部をヒンジ部により起立倒伏自在に配設し、蓋板をヒンジ部により倒伏して蓋板の後部を土運搬台の下部に当接して土導入口を閉口すると共に蓋板をヒンジ部により起立して蓋板の後部を土運搬台に当接して土導入口を開口するように設けているから、土導入口を蓋板により開閉することができ、取付枠に配設した第１のすき部材及び土運搬台に配設した第２のすき部材からなる複数個のすき部材が存在することにより土の削取、移動及び排出の整地作業能力を高めることができ、近年の圃場の大規模化に対応することができ、圃場の整地作業の作業性を向上することができ、かつ、第１の保持待避機構及び第２の保持待避機構により第１のすき部材又は第２のすき部材を選択して前下り状の使用位置又は不使用位置に跳上待避することができ、圃場の大きさ等の整地条件に応じて第１のすき部材及び第２のすき部材を選択配置することができ、使用の融通性を向上することができる。
【０００９】
又、請求項２記載の発明にあっては、上記取付枠側の第１のすき部材は上記取付枠の下部に１個配設され、上記土運搬台側の第２のすき部材は土運搬台の下部左右位置に１個ずつ計２個配設されてなるから、構造を簡素化することができ、走行機体の牽引能力及び土運搬台の大きさに対応することができ、それだけ、整地作業の作業性を向上することができる。
【図面の簡単な説明】
【００１０】
【図１】本発明の実施の形態例の全体側面図である。
【図２】本発明の実施の形態例の部分拡大側面図である。
【図３】本発明の実施の形態例の部分平断面図である。
【図４】本発明の実施の形態例の部分斜視図である。
【図５】本発明の実施の形態例の部分拡大側断面図である。
【図６】本発明の実施の形態例の部分拡大平断面図である。
【図７】本発明の実施の形態例の部分拡大平断面図である。
【図８】本発明の実施の形態例の使用状態の部分拡大側断面図である。
【発明を実施するための形態】
【００１１】
図１乃至図８は本発明の実施の形態例を示し、１は走行機体であって、この場合、図１の如く、トラクタが用いられ、走行機体１の後部に連結機構２により取付枠３を連結している。
【００１２】
この場合、図１、図２の如く、上記連結機構２は走行機体１の左右両側部下部に突設した下部リンク４と、走行機体１の左右両側部上部に突設した揺動アーム５と、揺動アーム５と下部リンク４の中程部を連結する吊上リンク６と、走行機体１の上部に突設した上部リンク７とで構成され、上記下部リンク４の先端部と上部リンク７の先端部を連結ピン８・８・８により取付枠３に連結し、取付枠３を油圧により揺動する揺動アーム５によって上下動可能に構成している。
【００１３】
９は第１のすき部材、１０は第１の保持待避機構であって、この場合、図２、図３、図４、図５、図６、図８の如く、上記取付枠３を左右の縦杆３ａ・３ａ及び水平杆３ｂ・３ｂにより側面Ｌ形状及び後面四角枠状に形成し、取付枠３の左右の縦杆３ａ・３ａの下部間に断面三角形状の取付桟１１の軸受部１１ａを左右両側のピン１２・１２により揺動可能に枢着し、取付桟１１の中央部に第１のすき部材９を前下り状に取付け、第１のすき部材９の裏面左右両側に係止片１３・１３を突設し、取付枠３の水平杆３ｂの下面に係止片１３・１３の後部に当接可能なストッパー桟１４を設け、かつ、取付桟１１の側部に係脱片１０ａを取付け、縦杆３ａに係止ピン１０ｂをバネ部材１０ｃにより突没自在に設け、第１のすき部材９をピン１２・１２を中心として引上回動し、第１のすき部材９を上記不使用位置ｂに跳上待避可能な係止ピン１０ｂ及び係脱穴部１０ｄからなるロック機構Ｃを配設し、すき部材９がほぼ垂直状態になったときバネ部材１０ｃに抗して係止ピン１０ｂを引動し、バネ部材１０ｃのバネ圧により係脱片１０ａの係脱穴部１０ｄに嵌入し、しかして、すき作業時において、第１のすき部材９を前下り状の使用位置ａに保持すると共に非すき作業時において、使用位置ａからほぼ垂直状態の不使用位置ｂに跳上待避可能に構成している。
【００１４】
１５は土運搬台であって、図４、図５、図６の如く、土運搬台１５は長方形状の底板１６の四辺部に左右一対の側板１７・１７、前板１８、後板１９を立設して形成され、前板１８のすき部材９に対向する位置に土導入口部２０を形成している。
【００１５】
この場合、図３、図４、図６の如く、上記土運搬台１５の前板１８及び底板１６の外側に２個のＬ状の補強杆２１・２１を固定するとともに底板１６のみに補強杆２２・２２を間隔を置いて固定し、かつ底板１６の左右の辺部に他の補強杆２３・２３を固定し、補強杆２１・２２間に取付枠３の水平杆３ｂを配置し、水平杆３ｂ及び補強杆２１・２２に支点軸２４を挿通し、土運搬台１５を支点軸２４を中心として後方傾動可能に取付けて構成している。
【００１６】
２５は案内部材であって、図４、図６、図８の如く、上記土導入口部２０の下部の左右の補強杆２１・２１間に配置固定され、上記第１のすき部材９の傾斜角度に合う案内面２５ａを形成している。
【００１７】
２６は係止機構であって、図２の如く、係止機構２６は取付枠３の上部の横杆３ｃに鉤状の係止アーム２７を軸２７ｂにより枢着し、係止アーム２７にハンドル２７ａを突設し、運搬台１５の上部に係止部２８を形成し、係止アーム２７と係止部２８とを係合し、バネ部材２９によって係合状態を保持するようにしている。
【００１８】
３０は第２のすき部材、３１は第２の保持待避機構であって、この場合、図３、図５、図７、図８の如く、上記補強杆２２・２２と補強杆２３・２３との間に補強桟３２・３２を架設し、かつ、上記補強杆２２・２２と補強杆２３・２３との間に断面三角形状の取付桟３３の軸受部３３ａを左右両側のピン３４・３４により揺動可能に枢着し、取付桟３３の中央部に第２のすき部材３０を前下り状に取付け、第２のすき部材３０の裏面左右両側に断面コ状の補強板３５・３５を突設し、上記補強杆２２・２２と補強杆２３・２３との間に取付桟３３に当接可能なストッパー桟３６を設け、かつ、取付桟３３の側部に係脱片３１ａを取付け、補強桟２３に係止ピン３１ｂをバネ部材３１ｃにより突没自在に設け、第２のすき部材３０をピン３４・３４を中心として引上回動し、第２のすき部材３０を上記不使用位置ｄに跳上待避可能な係止ピン３１ｂ及び係脱穴部３１ｄからなるロック機構Ｄを配設し、第２のすき部材３０がほぼ水平状態になったときバネ部材３１ｃに抗して係止ピン３１ｂを引動し、バネ部材３１ｃのバネ圧により係脱片３１ａの係脱穴部３１ｄに嵌入し、しかして、すき作業時において、第２のすき部材３０を前下り状の使用位置ｃに保持すると共に非すき作業時において、使用位置ｃからほぼ水平状態の不使用位置ｄに跳上待避可能に構成している。
【００１９】
３７は蓋板であって、図５の如く、上記土運搬台１５の底板１６に上記左右２個の第２のすき部材３０・３０の対向位置に土導入口３８・３８を形成し、底板１６の土導入口３８の縁部に蓋板３７の前部を固定して蓋板３７をヒンジ部３７ａにより起立倒伏自在に取付け、蓋板３７をヒンジ部３７ａにより倒伏して蓋板３７の後部を上記土運搬台１５下部の上記補強桟３２に当接して土導入口３８を閉口すると共に、図８の如く、蓋板３７をヒンジ部３７ａで起立して蓋板３７の後部を土運搬台１５の前板１８に当接して土運搬台１５の土導入口３８を開口するように構成している。
【００２０】
この実施例は上記構成であるから、図１、図２の如く、上記第１のすき部材９を前下り状に保持して走行機体１を前進走行し、圃場面Ｍの高い所の土Ｗを第１のすき部材９により削り取り、削り取られた土を第１のすき部材９により土導入口２０を介して土運搬台１５内に導入案内し、走行機体１を圃場Ｍの低い所に移動し、その位置で作業者が人為的に係止機構２６を解除し、図２の想像線位置の如く、土運搬台１５を支点軸２４を中心として自重で後方傾動させ、土運搬台１５内の土を圃場面Ｍの低い所に排出し、この作業を繰り返すことにより圃場Ｍの整地作業を行うことになる。
【００２１】
この際、図８の如く、第２のすき部材３０を前下り状に保持して走行機体１を前進走行し、第２のすき部材３０により圃場面Ｍの高い所の土Ｗを第２のすき部材３０により削り取り、削り取られた土を第２のすき部材３０により土導入口３８を介して土運搬台１５内に導入案内し、走行機体１を圃場Ｍの低い所に移動し、その位置で作業者が人為的に係止機構２６を解除し、図２の想像線位置の如く、土運搬台１５を支点軸２４を中心として自重で後方傾動させ、土運搬台１５内の土を圃場面Ｍの低い所に排出し、この作業を繰り返すことにより圃場Ｍの整地作業を行うことになる。
【００２２】
したがって、第１のすき部材９及び第２のすき部材３０を第１の保持待避機構１０及び第２の保持待避機構３１により前下り状に保持することで第１及び第２のすき部材９・３０により圃場の整地作業を行うことができ、複数個のすき部材９・３０が存在することにより土の削取、移動及び排出の整地作業能力を高めることができ、近年の圃場の大規模化に対応することができ、圃場の整地作業の作業性を向上することができ、かつ、第１の保持待避機構１０及び第２の保持待避機構３１により第１のすき部材９又は第２のすき部材３０を選択して前下り状の使用位置ａ・ｃ又は不使用位置ｂ・ｄに跳上待避することができ、圃場の大きさ等の整地条件に応じて第１のすき部材９及び第２のすき部材３０を選択配置することができ、使用の融通性を向上することができる。
【００２３】
この場合、上記取付枠３側の第１のすき部材９は上記取付枠３の下部に１個配設され、上記土運搬台１５側の第２のすき部材３０は土運搬台１５の下部左右位置に１個ずつ計２個配設されてなるから、構造を簡素化することができ、走行機体１の牽引能力及び土運搬台１５の大きさに対応することができ、それだけ、整地作業の作業性を向上することができる。
【００２４】
尚、本発明は上記実施例のものに限られるものではなく、第１のすき部材９の数量、配置位置及び構造及び第２のすき部材３０の数量、配置位置及び構造は適宜の構造等は適宜変更して設計される。
【００２５】
以上の如く、所期の目的を充分達成することができる。
【符号の説明】
【００２６】
ａ    使用位置
ｂ    不使用位置
ｃ    使用位置
ｄ    不使用位置
Ｄ    ロック機構
１    走行機体
２    連結機構
３    取付枠
９    第１のすき部材
１０    第１の保持退避機構
１５    土運搬台
２０    土導入口部
３０    第２のすき部材
３１    第２の保持退避機構
３７    蓋板
３７ａ    ヒンジ部
３８    土導入口
【図１】
2020120693.tif 000003
【図２】
2020120693.tif 000004
【図３】
2020120693.tif 000005
【図４】
2020120693.tif 000006
【図５】
2020120693.tif 000007
【図６】
2020120693.tif 000008
【図７】
2020120693.tif 000009
【図８】
2020120693.tif 000010